(57)【要約】【課題】コントローラと照明器具との間の通信量を抑制できる照明システム、コントローラ、照明器具及び照明システムの照明器具管理方法を提供する。【解決手段】照明器具２０と、照明器具２０と通信するコントローラ１０とを備える照明システム１であって、コントローラ１０は、照明器具２０の状態の問い合わせを行う第１の通信部１２と、照明器具２０の状態を管理する第１の制御部１３とを備え、照明器具２０は、第１の通信部１２と通信し、問い合わせを受ける第２の通信部２２と、第２の通信部２２が問い合わせを受ける毎に、照明器具２０の状態に変更があるか否かを判断する第２の制御部２３とを備え、第２の通信部２２は、第２の制御部２３が、照明器具２０の状態に変更があると判断した場合には第１の通信部１２に照明器具２０の状態を示す情報を返信し、照明器具２０の状態に変更が無いと判断した場合には第１の通信部１２に返信しない。【選択図】図１
2016143599.tif 000002
【特許請求の範囲】
【請求項１】
照明器具と、前記照明器具と通信するコントローラと、を備える照明システムであって、
前記コントローラは、
前記照明器具に前記照明器具の状態の問い合わせを行う第１の通信部と、
前記照明器具の状態を管理する第１の制御部と、を備え、
前記照明器具は、
前記第１の通信部と通信し、前記問い合わせを受ける第２の通信部と、
前記第２の通信部が前記問い合わせを受ける毎に、前記照明器具の状態に変更があるか否かを判断する第２の制御部と、を備え、
前記第２の通信部は、
前記第２の制御部が前記照明器具の状態に変更があると判断した場合には、前記第１の通信部に前記照明器具の状態を示す情報を返信し、
前記第２の制御部が前記照明器具の状態に変更が無いと判断した場合には、前記第１の通信部に前記照明器具の状態を示す情報を返信せず、
前記第１の制御部は、
前記第１の通信部が前記問い合わせに対して前記情報を受けた場合には、前記情報に示される状態を最新の前記照明器具の状態と判断し、
前記第１の通信部が前記問い合わせに対して前記情報を受けなかった場合には、前記照明器具の状態が継続していると判断する、
照明システム。
【請求項２】
前記照明器具の状態には、前記照明器具の消費電力が含まれる、
請求項１に記載の照明システム。
【請求項３】
前記照明器具の状態には、前記照明器具が備える光源の調光率が含まれる、
請求項１または２に記載の照明システム。
【請求項４】
前記第２の制御部は、前記第２の通信部が前記照明器具の消費電力の問い合わせを受ける毎に、前記照明器具が備える光源の調光率に変更があるか否かを判断することで、前記照明器具の消費電力に変更があるか否かを判断する、
請求項１〜３のいずれか１項に記載の照明システム。
【請求項５】
照明器具と通信するコントローラであって、
前記照明器具に前記照明器具の状態の問い合わせを行う通信部と、
前記照明器具の状態を管理する制御部と、を備え、
前記制御部は、
前記通信部が前記問い合わせに対して前記照明器具の状態を示す情報を受けた場合には、前記情報に示される状態を最新の前記照明器具の状態と判断し、
前記通信部が前記問い合わせに対して前記照明器具の状態を示す情報を受けなかった場合には、前記照明器具の状態が継続していると判断する、
コントローラ。
【請求項６】
コントローラと通信する照明器具であって、
前記コントローラと通信し、前記照明器具の状態の問い合わせを受ける通信部と、
前記通信部が前記問い合わせを受ける毎に、前記照明器具の状態に変更があるか否かを判断する制御部と、を備え、
前記通信部は、
前記制御部が前記照明器具の状態に変更があると判断した場合には、前記コントローラに前記照明器具の状態を示す情報を返信し、
前記制御部が前記照明器具の状態に変更が無いと判断した場合には、前記コントローラに前記照明器具の状態を示す情報を返信しない、
照明器具。
【請求項７】
照明器具と、前記照明器具と通信し前記照明器具の状態を管理するコントローラと、を備える照明システムの照明器具管理方法であって、
前記コントローラは、前記照明器具に前記照明器具の状態の問い合わせを行い、
前記照明器具は、
前記問い合わせを受ける毎に、前記照明器具の状態に変更があるか否かを判断し、
前記照明器具の状態に変更があると判断した場合には、前記コントローラに前記照明器具の状態を示す情報を返信し、
前記照明器具の状態に変更が無いと判断した場合には、前記照明器具の状態を示す情報を返信せず、
前記コントローラは、
前記問い合わせに対して前記情報を受けた場合には、前記情報に示される状態を最新の前記照明器具の状態と判断し、
前記問い合わせに対して前記情報を受けなかった場合には、前記照明器具の状態が継続していると判断する、
照明システムの照明器具管理方法。
【発明の詳細な説明】
【技術分野】
【０００１】
本発明は、照明システム、コントローラ、照明器具及び照明システムの照明器具管理方法に関する。
【背景技術】
【０００２】
コントローラと１台以上の照明器具群とで構成されている照明システムにおいて、コントローラと照明器具群とは、通信線で接続されており、相互通信することが可能である。例えば、特許文献１には、このような照明システムに関連する技術が記載されている。具体的には、各照明器具には、個別のアドレスが割り付けられている。また、コントローラは、照明器具に割り付けられている個別のアドレスに対して、通信信号を送信する。
【０００３】
通信信号には、例えば、調光命令、消灯命令または点滅命令等の点灯制御命令が含まれる。点灯制御命令を含む通信信号を受信した照明器具は、点灯制御命令に従って動作する。また、通信信号には、例えば、照明器具の現在の調光率、消費電力または電力量等の照明器具の状態を問い合わせる命令が含まれる。照明器具の状態を問い合わせる命令を含む通信信号を受信した照明器具は、問い合わせられた状態に対応する自身の状態を確認し、その状態を示す情報をコントローラに対して送信する。
【０００４】
このように、照明システムにおいて、上記動作が実施されることにより、コントローラは、照明器具の制御、監視または管理等をする。
【先行技術文献】
【特許文献】
【０００５】
【特許文献１】特開２０１２−２２７０１３号公報
【発明の概要】
【発明が解決しようとする課題】
【０００６】
ところで、コントローラが照明器具群の監視を行う場合、コントローラが、コントローラに接続される照明器具群の１台毎と情報のやり取りを行うことで照明器具群の監視を行う方法がある。この方法では、コントローラと照明器具との間の通信量が多くなってしまうという課題がある。
【０００７】
この課題を回避するために、例えば、通信速度を上げること、または、コントローラに接続できる照明器具の台数を減らすこと等が考えられる。
【０００８】
しかし、通信速度を上げるためには、高速な通信速度で通信可能な高価な通信部が必要となる。また、１台のコントローラに接続できる照明器具の台数を減らす場合、多くの照明器具を制御するためには、コントローラの台数を増やす必要がありコストが掛かる。その結果、このような照明システムは、高価な照明システムとなってしまう。
【０００９】
そこで、本発明は、コントローラと照明器具との間の通信量を抑制できる照明システム、コントローラ、照明器具及び照明システムの照明器具管理方法を提供することを目的とする。
【課題を解決するための手段】
【００１０】
本発明の一態様に係る照明システムは、照明器具と、前記照明器具と通信するコントローラと、を備える照明システムであって、前記コントローラは、前記照明器具に前記照明器具の状態の問い合わせを行う第１の通信部と、前記照明器具の状態を管理する第１の制御部と、を備え、前記照明器具は、前記第１の通信部と通信し、前記問い合わせを受ける第２の通信部と、前記第２の通信部が前記問い合わせを受ける毎に、前記照明器具の状態に変更があるか否かを判断する第２の制御部と、を備え、前記第２の通信部は、前記第２の制御部が前記照明器具の状態に変更があると判断した場合には、前記第１の通信部に前記照明器具の状態を示す情報を返信し、前記第２の制御部が前記照明器具の状態に変更が無いと判断した場合には、前記第１の通信部に前記照明器具の状態を示す情報を返信せず、前記第１の制御部は、前記第１の通信部が前記問い合わせに対して前記情報を受けた場合には、前記情報に示される状態を最新の前記照明器具の状態と判断し、前記第１の通信部が前記問い合わせに対して前記情報を受けなかった場合には、前記照明器具の状態が継続していると判断する。
【００１１】
また、本発明の一態様に係るコントローラは、照明器具と通信するコントローラであって、前記照明器具に前記照明器具の状態の問い合わせを行う通信部と、前記照明器具の状態を管理する制御部と、を備え、前記制御部は、前記通信部が前記問い合わせに対して前記照明器具の状態を示す情報を受けた場合には、前記情報に示される状態を最新の前記照明器具の状態と判断し、前記通信部が前記問い合わせに対して前記照明器具の状態を示す情報を受けなかった場合には、前記照明器具の状態が継続していると判断する。
【００１２】
また、本発明の一態様に係る照明器具は、コントローラと通信する照明器具であって、前記コントローラと通信し、前記照明器具の状態の問い合わせを受ける通信部と、前記通信部が前記問い合わせを受ける毎に、前記照明器具の状態に変更があるか否かを判断する制御部と、を備え、前記通信部は、前記制御部が前記照明器具の状態に変更があると判断した場合には、前記コントローラに前記照明器具の状態を示す情報を返信し、前記制御部が前記照明器具の状態に変更が無いと判断した場合には、前記コントローラに前記照明器具の状態を示す情報を返信しない。
【００１３】
また、本発明の一態様に係る照明システムの照明器具管理方法は、照明器具と、前記照明器具と通信し前記照明器具の状態を管理するコントローラと、を備える照明システムの照明器具管理方法であって、前記コントローラは、前記照明器具に前記照明器具の状態の問い合わせを行い、前記照明器具は、前記問い合わせを受ける毎に、前記照明器具の状態に変更があるか否かを判断し、前記照明器具の状態に変更があると判断した場合には、前記コントローラに前記照明器具の状態を示す情報を返信し、前記照明器具の状態に変更が無いと判断した場合には、前記照明器具の状態を示す情報を返信せず、前記コントローラは、前記問い合わせに対して前記情報を受けた場合には、前記情報に示される状態を最新の前記照明器具の状態と判断し、前記問い合わせに対して前記情報を受けなかった場合には、前記照明器具の状態が継続していると判断する。
【発明の効果】
【００１４】
本発明の一態様に係る照明システム、コントローラ、照明器具及び照明システムの照明器具管理方法によれば、コントローラと照明器具との間の通信量を抑制できる。
【図面の簡単な説明】
【００１５】
【図１】実施の形態に係る照明システムの一例を示すブロック図である。
【図２】実施の形態に係るコントローラの動作の一例を示すフローチャートである。
【図３】実施の形態に係るコントローラが管理する管理情報及び管理情報から算出される消費電力量の一例を示す図である。
【図４】実施の形態に係る照明器具の電源オン時の動作の一例を示すフローチャートである。
【図５】実施の形態に係る照明器具の電源オン時以降の動作の一例を示すフローチャートである。
【図６】実施の形態に係る照明システムの通信信号の流れの一例を示す図である。
【発明を実施するための形態】
【００１６】
以下では、本発明の実施の形態に係る照明システム及び照明システムの照明器具管理方法について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１７】
また、各図は、模式図であり、必ずしも厳密に図示されたものではない。また、各図において、同じ構成部材については同じ符号を付している。
【００１８】
（実施の形態）
以下、図１〜図６を用いて、実施の形態を説明する。
【００１９】
［全体構成］
図１は、実施の形態における照明システム１の一例を示すブロック図である。
【００２０】
本実施の形態における照明システム１は、複数の照明器具２０の制御及び状態の管理が行われるシステムであり、コントローラ１０及び複数の照明器具２０を備える。なお、コントローラ１０と照明器具２０とは通信線によって接続されているが、これは必ず必要なものではなく、例えば、無線によって接続されてもよい。また、本実施の形態では、照明システム１は複数の照明器具２０を備えるが、照明システム１は、複数の照明器具２０を備えなくてもよく、例えば１台の照明器具２０を備えてもよい。
【００２１】
コントローラ１０は、電源部１１、第１の通信部１２及び第１の制御部１３から構成される。コントローラ１０は、照明器具２０と通信することで、照明器具２０の制御及び状態の管理を行う。照明器具２０の制御には、例えば、照明器具２０の調光または点滅等の制御が含まれる。照明器具２０の状態には、例えば、照明器具２０の消費電力、照明器具２０が備える後述する光源２５の調光率、または、照明器具２０の動作状態等が含まれる。コントローラ１０は、照明器具２０の制御として照明器具２０の調光または点滅等の制御を行う。例えば、ユーザによるコントローラ１０が有するスイッチ（図示せず）の操作、または、タイマー等により、照明器具２０の点灯を制御するための点灯制御命令が生成され、照明器具２０に調光または点滅等をさせる制御が行われる。また、コントローラ１０は、照明器具２０の状態の管理として、消費電力、調光率または動作状態等の管理を行う。本実施の形態では、コントローラ１０は、照明器具２０の状態として照明器具２０の消費電力を問い合わせる問い合わせ命令により、消費電力の管理を行う。消費電力の問い合わせ命令は、例えば、所定の時間間隔で生成される。
【００２２】
電源部１１は、ＡＣ（Ａｌｔｅｒｎａｔｉｎｇ  Ｃｕｒｒｅｎｔ）電源（図示せず）から制御部１３を駆動させるためのＤＣ（Ｄｉｒｅｃｔ  Ｃｕｒｒｅｎｔ）電源を生成する。
【００２３】
第１の通信部１２は、照明器具２０と通信をすることで、照明器具２０からの情報の受信及び照明器具２０への情報の送信を行う。第１の通信部１２は、照明器具２０への情報の送信として、点灯制御命令、または、問い合わせ命令を送信する。問い合わせ命令の送信では、第１の通信部（通信部）１２は、照明器具２０に照明器具２０の状態の問い合わせを行う。具体的には、第１の通信部１２は、複数の照明器具２０のそれぞれに照明器具２０の状態として消費電力の問い合わせを所定の時間間隔で繰り返し行う。例えば、コントローラ１０が３台の照明器具２０ａ、２０ｂ及び２０ｃを管理する場合、第１の通信部１２は、まず、照明器具２０ａに照明器具２０ａの消費電力の問い合わせを行う。次に、第１の通信部１２は、照明器具２０ｂ、２０ｃの順番に照明器具２０ｂ、２０ｃのそれぞれの消費電力の問い合わせを行う。そして、第１の通信部１２は、全ての照明器具２０への消費電力の問い合わせが終わった後に、再度、照明器具２０ａに照明器具２０ａの消費電力の問い合わせを行う。つまり、第１の通信部１２は、照明器具２０ａに照明器具２０ａの消費電力の問い合わせを行ってから、所定の時間経過後に再度照明器具２０ａに問い合わせを行う。第１の通信部１２は、照明器具２０ｂ、２０ｃについても同様に照明器具２０ｂ、２０ｃに消費電力の問い合わせを行ってから、所定の時間経過後に再度問い合わせを行う。
【００２４】
第１の制御部１３は、第１の通信部１２が照明器具２０へ通信信号として送信する、点灯制御命令、または、問い合わせ命令の選択を行う。問い合わせ命令により、第１の制御部（制御部）１３は、照明器具２０の状態を管理する。具体的には、第１の制御部１３は、問い合わせ命令の返信として取得した照明器具２０の状態（消費電力）を示す情報を、管理情報として管理する。さらに、第１の制御部（制御部）１３は、第１の通信部（通信部）１２が問い合わせに対して照明器具２０の状態（消費電力）を示す情報を受けた場合には、情報に示される状態（消費電力）を最新の照明器具２０の状態（消費電力）と判断する。また、第１の制御部（制御部）１３は、第１の通信部（通信部）１２が照明器具２０の状態（消費電力）を示す情報を受けなかった場合には、照明器具２０の状態（消費電力）が変更せずに継続していると判断する。詳細な動作については、後述する図２及び図３で説明する。第１の制御部１３は、例えば、マイコン、または、マイコンとＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）（及びデータフラッシュ）との組み合わせにより構成される。第１の制御部１３が管理する管理情報は、ＥＥＰＲＯＭに記憶される。なお、第１の制御部１３が管理する管理情報は、ＥＥＰＲＯＭに記憶されなくてもよく、コントローラ１０と通信可能なサーバ等に記憶されてもよい。
【００２５】
また、照明器具２０から送られた照明器具２０の状態（本実施の形態では消費電力）を管理する管理情報は、コントローラ１０が備えるモニタ等の表示部（図示せず）に表示され、照明器具２０の状態がユーザに知らせられてもよい。
【００２６】
また、第１の通信部１２が通信を行う相手は、照明器具２０に限らない。例えば、第１の通信部１２は、他機器としてパソコンまたはリモコン等と通信をしてもよい。例えば、照明器具２０の状態を管理する管理情報は、パソコンで管理されてもよい。また、例えば、照明器具２０に調光または点滅等をさせる点灯制御は、リモコンにより行われてもよい。
【００２７】
照明器具２０は、電源部２１、第２の通信部２２、第２の制御部２３、点灯部２４、光源２５及び電力計測部２６から構成される。照明器具２０がコントローラ１０と通信することで、照明器具２０の制御及び状態の管理が行われる。
【００２８】
電源部２１は、ＡＣ電源から第２の制御部２３及び点灯部２４を駆動するためのＤＣ電源を生成する。
【００２９】
第２の通信部２２は、コントローラ１０と通信することで、コントローラ１０からの情報の受信及びコントローラ１０への情報の送信を行う。コントローラ１０からの情報の受信として、具体的には、第２の通信部（通信部）２２は、コントローラ１０の第１の通信部１２と通信し、照明器具２０の状態（消費電力）の問い合わせを受ける。また、第２の通信部２２は、コントローラ１０から点灯制御命令を受ける。
【００３０】
第２の制御部２３は、第２の通信部２２が受ける第１の通信部１２から送られてくる通信信号に基づいて、点灯部２４への点灯制御、または、問い合わせ命令に対する対応を行う。問い合わせ命令に対する対応として具体的には、第２の制御部（制御部）２３は、第２の通信部（通信部）２２が照明器具２０の状態（消費電力）の問い合わせを受ける毎に、照明器具２０の状態（消費電力）に変更があるか否かを判断する。照明器具２０の消費電力に変更があるか否かの判断は、電力計測部２６が計測した照明器具２０の消費電力を第２の制御部２３が確認することで行われる。具体的には、第２の制御部２３は、第２の通信部２２が照明器具２０の消費電力の問い合わせを受ける毎に確認した消費電力を比較し、例えばその値が完全に一致したか否かを判断することで、照明器具２０の消費電力に変更があるか否かを判断する。また、第２の制御部２３は、第２の通信部２２が点灯制御命令を受けると、点灯部２４に対して、点灯制御（調光または点滅制御等）を行う。第２の制御部２３はマイコンまたはマイコンとＥＥＰＲＯＭ（及びデータフラッシュ）との組み合わせにより構成される。
【００３１】
また、第２の通信部（通信部）２２は、第２の制御部（制御部）２３が照明器具２０の状態（消費電力）に変更があると判断した場合には、コントローラ１０の第１の通信部１２に照明器具２０の状態（消費電力）を示す情報を返信する。第２の通信部（通信部）２２は、第２の制御部（制御部）２３が照明器具２０の状態（消費電力）に変更が無いと判断した場合には、コントローラ１０の第１の通信部１２に照明器具２０の状態（消費電力）を示す情報を返信しない。詳細な動作については、後述する図４及び図５で説明する。
【００３２】
点灯部２４は、光源２５を駆動するための電源である。点灯部２４は、第２の制御部２３に制御される。点灯部２４は、第２の制御部２３に調光制御される場合、例えばＰＷＭ（Ｐｕｌｓｅ  Ｗｉｄｔｈ  Ｍｏｄｕｌａｔｉｏｎ）制御により第２の制御部２３の調光制御に応じた調光率で光源２５を調光点灯する。点灯部２４は、第２の制御部２３に点滅制御される場合、光源２５への電力供給の導通と遮断とを繰り返す。
【００３３】
光源２５は、蛍光灯ランプ、ＬＥＤ（Ｌｉｇｈｔ  Ｅｍｉｔｔｉｎｇ  Ｄｉｏｄｅ）または有機ＥＬ（Ｅｌｅｃｔｒｏ  ｌｕｍｉｎｅｓｃｅｎｃｅ）等である。
【００３４】
電力計測部２６は、照明器具２０の消費電力を計測する。電力計測部２６が計測した照明器具２０の消費電力は第２の制御部２３へ送られる。第２の制御部２３は、電力計測部２６から送られる照明器具２０の消費電力を確認する。なお、電力計測部２６は、電力計等の計測器で構成されてもよい。また、電力計測部２６は、予め第２の制御部２３が制御する光源２５の調光率と照明器具２０の消費電力とが対応付けられたテーブルを記憶してもよい。そして、電力計測部２６は、第２の制御部２３から光源２５の調光率を取得し、調光率と消費電力とが対応付けられたテーブルを参照することで、照明器具２０の消費電力を計測（算出）してもよい。
【００３５】
［動作］
次に、図１に示される照明システム１を構成するコントローラ１０及び照明器具２０の動作について、図２〜図５を用いて説明する。
【００３６】
まず、照明システム１を構成するコントローラ１０の動作について説明する。
【００３７】
図２は、実施の形態に係るコントローラ１０の動作の一例を示すフローチャートである。
【００３８】
まず、第１の制御部１３は、消費電力の問い合わせ命令を送信する照明器具２０を選択する（Ｓ１００）。ここでは、第１の制御部１３は、照明器具２０が有する個別のアドレスを指定することで、特定の照明器具２０を選択する。上述したように、コントローラ１０が３台の照明器具２０ａ、２０ｂ及び２０ｃを管理する場合、第１の制御部１３は、例えば、まず、照明器具２０ａを選択する。
【００３９】
次に、第１の通信部１２は、照明器具２０ａに問い合わせ命令を送信する（Ｓ１０１）。
【００４０】
次に、第１の制御部１３は、第１の通信部１２が、照明器具２０ａから照明器具２０ａの消費電力の問い合わせに対する返信を受けたか否かを判定する（Ｓ１０２）。ここでは、第１の制御部１３は、返信が返ってくるまでに必要な時間、受信待ちしている。
【００４１】
第１の制御部１３は、第１の通信部１２が照明器具２０ａから照明器具２０ａの消費電力の問い合わせに対する返信を受けた場合には（Ｓ１０２でＹｅｓ）、返信された情報に示される状態を最新の照明器具２０ａの状態と判断する。そして、第１の制御部１３は、返信された情報に応じて管理情報を更新する（Ｓ１０３）。
【００４２】
また、第１の制御部１３は、第１の通信部１２が照明器具２０ａから照明器具２０ａの消費電力の問い合わせに対する返信を受けなかった場合には（Ｓ１０２でＮｏ）、照明器具２０ａの消費電力が継続していると判断する。そして、第１の制御部１３は、管理情報を更新しない（Ｓ１０４）。
【００４３】
次に、第１の制御部１３は、管理情報で管理している照明器具２０ａの消費電力量を算出する（Ｓ１０５）。第１の制御部１３は、管理している消費電力を加算していくことで、照明器具２０ａが消費した消費電力量を算出する。ステップＳ１０３〜Ｓ１０５の詳細な動作については、後述する図３で説明する。なお、本実施の形態では、照明器具２０ａの状態として消費電力としているため、ステップ１０５において、第１の制御部１３は、照明器具２０ａの消費電力量を算出しているが、これに限らない。例えば、ステップ１０５において、その他の動作が行われてもよく、また、ステップ１０５において何も動作が行われなくてもよい。
【００４４】
そして、第１の制御部１３は、再度、ステップＳ１００の動作を行う。第１の制御部１３は、例えば、照明器具２０ｂを選択し、照明器具２０ａと同様にステップＳ１０１〜Ｓ１０５の動作及び判定を行う。
【００４５】
このようにして、全ての照明器具２０に対してステップＳ１００〜Ｓ１０５の動作及び判定が完了すると、第１の制御部１３は、再度、照明器具２０ａからこれらの動作及び判定を行っていく。つまり、コントローラ１０の第１の通信部１２は、接続される複数の照明器具２０の消費電力を計測するため、複数の照明器具２０のそれぞれに対して、所定の時間間隔で繰り返し消費電力の問い合わせ命令を送信する。なお、コントローラ１０は、コントローラ１０が管理する複数の照明器具２０に対して順番に消費電力の問い合わせ命令を送信するため、所定の時間は、コントローラ１０が管理する照明器具２０の台数により変動することがある。つまり、コントローラ１０が管理する照明器具２０の台数が多くなる場合、所定の時間間隔は長くなることがある。
【００４６】
また、コントローラ１０は、照明器具２０の消費電力の管理だけでなく照明器具２０の点灯制御を行う。本実施の形態では、例えばユーザによりコントローラ１０が有するスイッチが操作されることで点灯制御命令が生成されると、第１の通信部１２は、点灯制御命令を照明器具２０に送信する。
【００４７】
次に、第１の制御部１３が管理する管理情報（本実施の形態では消費電力）について説明する。
【００４８】
図３の（ａ）は、実施の形態に係るコントローラ１０が管理する管理情報の一例である。
【００４９】
図３の（ｂ）は、管理情報から算出される消費電力量を示す図である。
【００５０】
図３の（ａ）には、例として照明器具２０ａの消費電力が示されている。また、本実施の形態では、第１の通信部１２は、所定の時間間隔として１秒間隔で繰り返し照明器具２０ａに問い合わせ命令を送信している。ここで、照明器具２０ａの電源がオンしてからコントローラ１０が初めて照明器具２０ａに問い合わせを行う時を１秒時と呼ぶ。そして、コントローラ１０が１秒時の１秒後に照明器具２０ａに問い合わせを行う時を２秒時、その１秒後を３秒時というように呼ぶ。図３の（ａ）において、上述したように、１秒時の問い合わせを照明器具２０ａが電源オンしてから初めての問い合わせとする。
【００５１】
まず、１秒時の問い合わせでは、詳細は後述する図４で説明するが、照明器具２０ａは、初回の問い合わせを受けるため、問い合わせに対する返信をする。ここでは、照明器具２０ａは、例えば消費電力９Ｗという情報を返信する。
【００５２】
第１の制御部１３は、第１の通信部１２が照明器具２０ａから照明器具２０ａの消費電力の問い合わせに対する返信を受けたため、返信された情報に示される消費電力を最新の照明器具２０ａの状態と判断し、返信された情報に応じて管理情報を更新する。つまり、第１の通信部１２が１秒時の問い合わせに対して、消費電力９Ｗを示す情報の返信を受けたため、図３の（ａ）に示されるように、第１の制御部１３は、現在（１秒時）の照明器具２０ａの消費電力を９Ｗに更新して管理する。さらに、第１の制御部１３は、更新された消費電力９Ｗから現在の照明器具２０ａが１秒間に消費する消費電力量を０．００２５Ｗｈと算出する。本実施の形態では、１秒時の問い合わせを照明器具２０ａが電源オンしてから初めての問い合わせとしているため、照明器具２０ａがこれまでに消費した消費電力量は０Ｗとなる。図３の（ｂ）に示されるように、第１の制御部１３は、これまでに消費した消費電力量０Ｗｈに現在の照明器具２０ａが１秒間に消費する消費電力量０．００２５Ｗｈを加算して、照明器具２０ａが１秒間に消費した消費電力量を０．００２５Ｗｈと算出する。
【００５３】
そして、照明器具２０ｂ及び２０ｃについても同様に、問い合わせ命令の送信及び返信の有無の判定等が行われる。本実施の形態では、前回照明器具２０ａに問い合わせ命令が送信されてから１秒後である２秒時に、再度、照明器具２０ａに問い合わせ命令が送信される。２秒時では、詳細は後述する図５で説明するが、照明器具２０ａは照明器具２０ａの消費電力を示す情報を返信しない。
【００５４】
第１の制御部１３は、第１の通信部１２が照明器具２０ａから照明器具２０ａの消費電力の問い合わせに対する返信を受けなかったため、照明器具２０ａの消費電力が変更せずに継続していると判断し、管理情報を更新しない。つまり、第１の通信部１２が２秒時の問い合わせに対する返信を受けなかったため、図３の（ａ）に示されるように、第１の制御部１３は、現在の照明器具２０ａの消費電力を９Ｗから別の値に更新せずそのまま９Ｗと管理する。また、第１の制御部１３は、図３の（ｂ）に示されるように、更新されなかった消費電力９Ｗ（消費電力量０．００２５Ｗｈ）をこれまでに消費した消費電力量に加算して、２秒間に消費された消費電力量を０．００５Ｗｈと算出する。
【００５５】
図３の（ａ）に示されるように、第１の通信部１２が、１０秒まで返信を受けなかったため、第１の制御部１３は、照明器具２０ａの消費電力が１秒時に更新された消費電力９Ｗのまま継続していると判断し、管理情報を９Ｗのまま更新しない。そして、図３の（ｂ）に示されるように、第１の制御部１３は、これまでに消費した消費電力量に消費電力量０．００２５Ｗｈを加算していき、１０秒間に消費された消費電力量を０．０２５Ｗｈと算出している。
【００５６】
次に、第１の通信部１２が１１秒時の問い合わせに対して、消費電力４．５Ｗを示す情報の返信を受けたため、図３の（ａ）に示されるように、第１の制御部１３は、現在の（１１秒時の）照明器具２０ａの消費電力を４．５Ｗに更新して管理する。さらに、第１の制御部１３は、更新された消費電力４．５Ｗから現在の照明器具２０ａが１秒間に消費する消費電力量を０．００１２５Ｗｈと算出する。そして、第１の制御部１３は、これまでに消費した消費電力量０．０２５Ｗｈに現在の照明器具２０ａが１秒間に消費する消費電力量０．００１２５Ｗｈを加算して、照明器具２０ａが１１秒間に消費した消費電力量を０．０２６２５Ｗｈと算出する。
【００５７】
第１の通信部１２が１２秒時〜１６秒時の問い合わせに対する返信を受けなかったため、１２秒時〜１６秒時の第１の制御部１３が管理する照明器具２０ａの消費電力は４．５Ｗから更新されず、消費電力４．５Ｗ（消費電力量０．００１２５Ｗｈ）がこれまでに消費した消費電力量に加算される。
【００５８】
そして、第１の通信部１２が１７秒時の問い合わせに対して、消費電力９Ｗを示す情報の返信を受けたため、図３の（ａ）に示されるように、第１の制御部１３は、現在の照明器具２０ａの消費電力を９Ｗに更新して管理する。
【００５９】
このように、コントローラ１０は、消費電力の返信があった場合には、送られてきた消費電力を足し合わせて、消費電力量の計算を行う。また、コントローラ１０は、消費電力の返信が無かった場合には、照明器具２０の消費電力が前回問い合わせた時の消費電力から変更がないと認識し、前回の消費電力を足し合わせて、消費電力量の計算を行う。これにより、例えば、１０分毎、１時間毎または１日毎等の消費電力量が算出される。
【００６０】
なお、コントローラ１０は、照明器具２０に直接、消費電力量の問い合わせを行ってもよい。
【００６１】
次に、照明システム１を構成する照明器具２０の動作について説明する。まず、照明器具２０の電源オン時の動作について説明する。
【００６２】
図４は、実施の形態に係る照明器具２０の電源オン時の動作の一例を示すフローチャートである。
【００６３】
まず、照明器具２０は、電源オンする（Ｓ２００）。具体的には、照明器具２０は、例えば、ユーザによる照明器具２０が有するスイッチ（図示せず）の操作、または、タイマー等により照明器具２０の電源がオンされる。
【００６４】
次に、第２の制御部２３は、電源の立ち上がり後、初期設定を行う（Ｓ２０１）。第２の制御部２３は、初期設定において、例えば、個別のアドレスを取得する。これにより、照明器具２０は、コントローラ１０との通信が可能になる。また、第２の制御部２３は、初期設定において、例えば、コントローラ１０から点灯制御命令を受けなかったときに光源２５をデフォルトの調光率で発光するためのデフォルト調光率を設定する。具体的には、第２の制御部２３は、所定の調光率で光源２５を発光させる点灯制御命令を受けた場合、所定の調光率で光源２５を点灯する。一方、第２の制御部２３は、所定の調光率で光源２５を発光する点灯制御命令を受けなかった場合には、デフォルト調光率で光源２５を点灯する（以降、デフォルト調光率で光源２５を点灯することをデフォルト点灯と呼ぶ）。
【００６５】
次に、第２の制御部２３は、第２の通信部２２がコントローラ１０からの通信信号を受信したか否かを判定する（Ｓ２０２）。
【００６６】
第２の制御部２３が、第２の通信部２２がコントローラ１０からの通信信号を受信したと判定した場合（Ｓ２０２でＹｅｓ）、第２の制御部２３は、通信信号に含まれる命令が点灯制御命令であるか否かを判定する（Ｓ２０３）。
【００６７】
第２の制御部２３が、通信信号に含まれる命令が点灯制御命令であると判定した場合（Ｓ２０３でＹｅｓ）、第２の制御部２３は、光源２５を点灯制御命令に応じて点灯する（Ｓ２０４）。例えば、点灯制御命令が調光を制御する命令の場合、第２の制御部２３は、命令に応じて所定の調光率で光源２５を調光点灯する。
【００６８】
第２の制御部２３が、通信信号に含まれる命令が点灯制御命令でないと判定した場合（Ｓ２０３でＮｏ）、第２の制御部２３は、通信信号に含まれる命令が消費電力の問い合わせ命令であるか否かを判定する（Ｓ２０５）。
【００６９】
第２の制御部２３が、通信信号に含まれる命令が消費電力の問い合わせ命令であると判定した場合（Ｓ２０５でＹｅｓ）、第２の制御部２３は、光源２５をデフォルト点灯する（Ｓ２０６）。
【００７０】
次に、第２の制御部２３は、照明器具２０の消費電力を取得する（Ｓ２０７）。例えば、第２の制御部２３は、電力計測部２６が計測した照明器具２０の消費電力を取得する。
【００７１】
そして、第２の通信部２２は、コントローラ１０に、取得した照明器具２０の消費電力を示す情報を返信する（Ｓ２０８）。
【００７２】
第２の制御部２３が、通信信号に含まれる命令が消費電力の問い合わせ命令でないと判定した場合（Ｓ２０５でＮｏ）、例えば、通信信号に含まれる命令がその他の命令であると判定した場合、第２の制御部２３は、光源２５をデフォルト点灯する（Ｓ２０９）。
【００７３】
次に、第２の制御部２３は、その他の命令に応じてその他の処理をする（Ｓ２１０）。その他の命令が、例えば、照明器具２０が故障しているか否かを検知させる命令の場合、第２の制御部２３は、照明器具２０が備える故障検知器（図示せず）等に故障の検知をさせ、故障しているか否かをコントローラ１０に返信する。
【００７４】
一方、第２の制御部２３が、第２の通信部２２がコントローラ１０からの通信信号を受信していないと判定した場合（Ｓ２０２でＮｏ）、第２の制御部２３は、光源２５をデフォルト点灯する（Ｓ２１１）。本実施の形態では、コントローラ１０は、所定の時間間隔として１秒間隔で問い合わせ命令を送信している。従って、例えば、コントローラ１０または通信経路等に問題が発生している場合、第２の通信部２２がコントローラ１０からの通信信号を受信しない状態になる。また、コントローラ１０が１秒間隔で問い合わせ命令を送信しているため、ステップＳ２０２では、第２の制御部２３は、例えば１秒の受信待ちをした後に、第２の通信部２２がコントローラ１０からの通信信号を受信したか否かを判定する。
【００７５】
ところで、第２の通信部２２が点灯制御命令を受けた場合には（Ｓ２０３でＹｅｓ）、第２の制御部２３は、点灯制御命令に応じて光源２５を点灯する。しかし、第２の通信部２２が点灯制御命令を受けなかった場合（Ｓ２０３でＮｏ）、または、通信信号を受けなかった場合（Ｓ２０２でＮｏ）には、照明器具２０は電源オンしてから光源２５が点灯していない状態になっている。従って、第２の制御部２３は、光源２５が点灯制御命令で点灯しない場合には、初期設定でのデフォルト調光率に応じて光源２５をデフォルト点灯し、そして、消費電力の問い合わせ命令またはその他の命令に対する動作を実施する。
【００７６】
このように、照明器具２０は、電源オン時には、どのような命令を受けても、または、通信信号を受けなくても、点灯する。
【００７７】
次に、照明器具２０の電源オン時以降の動作について説明する。
【００７８】
図５は、実施の形態に係る照明器具２０の電源オン時以降の動作の一例を示すフローチャートである。
【００７９】
まず、第２の制御部２３は、第２の通信部２２が再度コントローラ１０からの通信信号を受信したか否かを判定する（Ｓ３００）。
【００８０】
第２の制御部２３が、第２の通信部２２がコントローラ１０からの通信信号を受信していない場合（Ｓ３００でＮｏ）、第２の制御部２３は、第２の通信部２２がコントローラ１０からの通信信号を受信するまで、受信待ちをする。
【００８１】
第２の制御部２３が、第２の通信部２２がコントローラ１０からの通信信号を受信したと判定した場合（Ｓ３００でＹｅｓ）、第２の制御部２３は、通信信号に含まれる命令が点灯制御命令であるか否かを判定する（Ｓ３０１）。
【００８２】
第２の制御部２３が、通信信号に含まれる命令が点灯制御命令であると判定した場合（Ｓ３０１でＹｅｓ）、第２の制御部２３は、光源２５を点灯制御命令に応じて点灯する（Ｓ３０２）。そして、再度、ステップＳ３００において、第２の制御部２３は、第２の通信部２２がコントローラ１０からの通信信号を受信するまで、受信待ちをする。
【００８３】
第２の制御部２３が、通信信号に含まれる命令が点灯制御命令でないと判定した場合（Ｓ３０１でＮｏ）、第２の制御部２３は、通信信号に含まれる命令が消費電力の問い合わせ命令であるか否かを判定する（Ｓ３０３）。
【００８４】
第２の制御部２３が、通信信号に含まれる命令が消費電力の問い合わせ命令であると判定した場合（Ｓ３０３でＹｅｓ）、第２の制御部２３は、照明器具２０の消費電力を取得する（Ｓ３０４）。
【００８５】
次に、第２の制御部２３は、前回返信した照明器具２０の消費電力から現在の照明器具２０の消費電力に変更があるか否かを判定する（Ｓ３０５）。具体的には、第２の制御部２３は、前回返信した消費電力と、今回取得した現在の照明器具２０の消費電力との比較を行う。そして、第２の制御部２３は、例えばその電力値が完全に一致しているか否かを判断することで、照明器具２０の消費電力に変更があるか否かを判定する。
【００８６】
第２の制御部２３が、前回返信した照明器具２０の消費電力から現在の照明器具２０の消費電力に変更があると判定した場合（Ｓ３０５でＹｅｓ）、第２の通信部２２は、コントローラ１０に、取得した照明器具２０の消費電力を示す情報を返信する（Ｓ３０６）。
【００８７】
第２の制御部２３が、前回返信した照明器具２０の消費電力から現在の照明器具２０の消費電力に変更がないと判定した場合（Ｓ３０５でＮｏ）、第２の通信部２２は、コントローラ１０に、取得した照明器具２０の消費電力を示す情報を返信しない。そして、再度、ステップＳ３００において、第２の制御部２３は、第２の通信部２２がコントローラ１０からの通信信号を受信するまで、受信待ちをする。
【００８８】
一方、第２の制御部２３が、通信信号に含まれる命令が消費電力の問い合わせ命令でないと判定した場合（Ｓ３０３でＮｏ）、第２の制御部２３は、その他の命令に応じてその他の処理をする（Ｓ３０７）。そして、再度、ステップＳ３００において、第２の制御部２３は、第２の通信部２２がコントローラ１０からの通信信号を受信するまで、受信待ちをする。
【００８９】
このように、コントローラ１０から消費電力の問い合わせ命令を受信した照明器具２０は、現在の照明器具２０の消費電力と前回返信した消費電力とを比較して、その電力値に変更がある場合にのみ、消費電力を示す情報をコントローラ１０に返信する。
【００９０】
なお、本実施の形態の照明器具２０は、電力値の比較を行う際に、完全に同じ値であった場合のみ、返信をしないが、これに限らない。例えば、照明器具２０は、現在の照明器具２０の消費電力と前回返信した消費電力とが例えば±３％以内の差異の場合には、返信をしなくてもよい。このように、電力計測部２６の測定誤差を考慮した差異の設定が可能である。
【００９１】
また、本実施の形態の動作例では、照明器具２０の状態が照明器具２０の消費電力の場合での例が記載されているが、これに限らない。例えば、コントローラ１０は、照明器具２０の状態として照明器具２０が備える光源２５の調光率の問い合わせをしてもよい。コントローラ１０から調光率の問い合わせ命令を受信した照明器具２０は、現在の光源２５の調光率と前回返信した調光率とを比較して、その値に変更があった場合にのみ、調光率を示す情報をコントローラ１０に返信すればよい。
【００９２】
また、光源２５の調光率に変更がある場合には照明器具２０の消費電力が変更するため、第２の制御部２３は、調光率の変更を消費電力の変更とみなすことができる。従って、照明器具２０が、照明器具２０の消費電力の問い合わせを受ける場合に、第２の制御部２３は、第２の通信部２２が照明器具２０の消費電力の問い合わせを受ける毎に、照明器具２０が備える光源２５の調光率に変更があるか否かを判断してもよい。そして、第２の制御部２３は、光源２５の調光率に変更があるか否かの判断から、照明器具２０の消費電力に変更があるか否かを判断してもよい。
【００９３】
［効果等］
コントローラが照明器具群の監視または管理等を行う場合、コントローラが、コントローラに接続される照明器具群の１台毎と情報のやり取りを行うことで照明器具群の監視または管理を行う方法がある。しかし、この方法では、コントローラと照明器具との間の通信量が多くなってしまうという課題がある。
【００９４】
そこで、本実施の形態に係る照明システム１は、上述したように、照明器具２０と、照明器具２０と通信するコントローラ１０と、を備える照明システムである。コントローラ１０は、照明器具２０に照明器具２０の状態の問い合わせを行う第１の通信部１２と、照明器具２０の状態を管理する第１の制御部１３とを備える。照明器具２０は、第１の通信部１２と通信し、問い合わせを受ける第２の通信部２２と、第２の通信部２２が問い合わせを受ける毎に、照明器具２０の状態に変更があるか否かを判断する第２の制御部２３とを備える。第２の通信部２２は、第２の制御部２３が照明器具２０の状態に変更があると判断した場合には、第１の通信部１２に照明器具２０の状態を示す情報を返信する。また、第２の通信部２２は、第２の制御部２３が照明器具２０の状態に変更が無いと判断した場合には、第１の通信部１２に照明器具２０の状態を示す情報を返信しない。第１の制御部１３は、第１の通信部１２が問い合わせに対して照明器具２０の状態を示す情報を受けた場合には、この情報に示される状態を最新の照明器具２０の状態と判断する。また、第１の制御部１３は、第１の通信部１２が問い合わせに対して照明器具２０の状態を示す情報を受けなかった場合には、照明器具２０の状態が継続していると判断する。
【００９５】
これにより、コントローラ１０から照明器具２０の状態の問い合わせ命令を受信した照明器具２０は、現在の照明器具２０の状態と前回返信した状態とを比較する。そして、照明器具２０は、状態に変更がある場合にのみ、照明器具２０の状態を示す情報をコントローラ１０に返信する。従って、照明器具２０の状態に変更が無い場合、照明器具２０は、コントローラ１０に返信をしないため、コントローラ１０と照明器具２０との間の通信量を抑制できる。
【００９６】
また、照明器具２０の状態には、照明器具２０の消費電力が含まれる。
【００９７】
これにより、コントローラ１０から照明器具２０の消費電力の問い合わせ命令を受信した照明器具２０は、現在の照明器具２０の消費電力と前回返信した消費電力とを比較する。そして、照明器具２０は、消費電力に変更がある場合にのみ、照明器具２０の消費電力を示す情報をコントローラ１０に返信する。従って、照明器具２０の消費電力に変更が無い場合、照明器具２０は、コントローラ１０に返信をしないため、コントローラ１０と照明器具２０との間の通信量を抑制できる。
【００９８】
また、照明器具２０の状態には、照明器具２０が備える光源２５の調光率が含まれる。
【００９９】
これにより、コントローラ１０から照明器具２０の調光率の問い合わせ命令を受信した照明器具２０は、現在の照明器具２０の調光率と前回返信した調光率とを比較する。そして、照明器具２０は、調光率に変更がある場合にのみ、照明器具２０の調光率を示す情報をコントローラ１０に返信する。従って、照明器具２０の調光率に変更が無い場合、照明器具２０は、コントローラ１０に返信をしないため、コントローラ１０と照明器具２０との間の通信量を抑制できる。
【０１００】
ここで、コントローラ１０と照明器具２０との間の通信量の抑制について、図６を用いて説明する。
【０１０１】
図６は、実施の形態に係る照明システム１の通信信号の流れの一例を示す図である。
【０１０２】
照明器具２０の台数は３台で、照明器具２０ａ〜２０ｃとしている。この例では、コントローラ１０は、照明器具２０の状態として照明器具２０の消費電力の問い合わせを行っている。また、この例では、照明器具２０ａ〜２０ｃの消費電力に変更が無い場合の通信信号の流れが示されている。さらに、照明器具２０ａ〜２０ｃが後述するステップＳ４００、Ｓ４０２及びＳ４０４で受ける問い合わせは、照明器具２０ａ〜２０ｃが電源オンしてから初めて（初回）の問い合わせとする。
【０１０３】
まず、コントローラ１０は、照明器具２０ａに消費電力の問い合わせを行う（Ｓ４００）。照明器具２０ａは、初回の問い合わせを受けたので、コントローラ１０に消費電力を示す情報を返信する（Ｓ４０１）。
【０１０４】
同様に、ステップＳ４０２、Ｓ４０４において、コントローラ１０は照明器具２０ｂ、２０ｃに消費電力の問い合わせを行う。そして、ステップＳ４０１、Ｓ４０３において、照明器具２０ｂ、２０ｃは、初回の問い合わせを受けたので、コントローラ１０に消費電力を示す情報を返信する。
【０１０５】
次に、コントローラ１０は、全ての照明器具２０への問い合わせを行ったので、再度、照明器具２０ａから消費電力の問い合わせを行う（Ｓ４０６）。照明器具２０ａは、現在の照明器具２０ａの消費電力がステップＳ４０１で返信した消費電力から変更していないと判定し、コントローラ１０に返信をしない。
【０１０６】
同様に、ステップＳ４０７、Ｓ４０８において、コントローラ１０は照明器具２０ｂ、２０ｃに消費電力の問い合わせを行う。そして、照明器具２０ｂ、２０ｃは、現在の照明器具２０ｂ、２０ｃの消費電力がステップＳ４０３、Ｓ４０５で返信した消費電力から変更していないと判定し、コントローラ１０に返信をしない。
【０１０７】
そして、ステップＳ４０９以降も照明器具２０ａ〜２０ｃの消費電力に変更が無い場合、照明器具２０ａ〜２０ｃはコントローラ１０に返信をしない。
【０１０８】
このように、照明器具２０は、初回の問い合わせ時には問い合わせに対する返信をするが、照明器具２０の消費電力に変更が無い場合、初回以降は返信をしないため、通信量が少なくなっていることが分かる。従って、コントローラ１０と照明器具２０との間の通信量を抑制できる。
【０１０９】
また、第２の制御部２３は、第２の通信部２２が照明器具２０の消費電力の問い合わせを受ける毎に、照明器具２０が備える光源２５の調光率に変更があるか否かを判断することで、照明器具２０の消費電力に変更があるか否かを判断する。
【０１１０】
これにより、第２の制御部２３は、電力計測部２６から照明器具２０の消費電力を取得せずに、第２の制御部２３が点灯部２４を介して制御している光源２５の調光率を確認するだけで、照明器具２０の消費電力に変更があるか否かを判断することができる。また、電力計測部２６は、光源２５の調光率に変更があった場合にだけ、照明器具２０の消費電力を計測すればよく、照明器具２０は、効率的に動作が可能となる。
【０１１１】
このように、本発明は、例えば、日中のオフィスのように照明器具２０が一定の調光率または消費電力で点灯している環境において効果的である。
【０１１２】
以上、本発明に係る照明システムについて、上記実施の形態に基づいて説明したが、本発明は、上記の実施の形態に限定されるものではない。
【０１１３】
例えば、上記実施の形態では、コントローラ１０は、照明器具２０それぞれのアドレスを指定して、１対１でデータのやり取りを行うが、これに限らない。例えば、コントローラ１０はマルチキャストまたはブロードキャスト等で、管理する照明器具２０全体に照明器具２０の状態の問い合わせ命令を送信し、各照明器具２０は、自身の状態に変化があった時のみ返信してもよい。その際、照明器具２０は、同じタイミングで返信しないよう、照明器具２０に衝突検出機能を設けておく必要がある。衝突検出機能により衝突を回避する方法として、例えば、照明器具２０が問い合わせを受けてから、自身のアドレスに一定時間を掛けた時間後に返信を行う方法でもよい。また、照明器具２０が、常に通信ラインの情報を見ておき、他の信号が発生していないタイミングで返信するようにしてもよい。
【０１１４】
また、上記実施の形態では、コントローラ１０は、照明器具２０に照明器具２０の状態の問い合わせを所定の時間間隔で行うが、これに限らない。例えば、コントローラ１０は、照明器具２０に状態の問い合わせを任意のタイミングで行ってもよい。例えば、ユーザが照明器具２０の状態を知りたいときに、ユーザがコントローラ１０を操作することで、コントローラ１０は、照明器具２０に状態の問い合わせを行ってもよい。
【０１１５】
また、上記実施の形態では、コントローラ１０は、照明器具２０の状態として消費電力または調光率の問い合わせを行うが、これに限らない。コントローラ１０は、照明器具２０の状態として消費電力または調光率以外の状態の問い合わせをしてもよい。例えば、照明器具２０に故障検知器が取り付けられている場合に、コントローラ１０は所定の時間間隔毎に照明器具２０に故障がないか否かを確認してもよい。そして、照明器具２０は、故障がある場合にのみ、返信すればよい。このように、消費電力及び調光率のみならず故障等の照明器具２０の状態を示す情報に関して、照明器具２０が自身の状態に変化がある場合のみ返信することで、システム全体での通信量を抑制することが可能となる。
【０１１６】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１７】
１  照明システム
１０  コントローラ
１２  第１の通信部（通信部）
１３  第１の制御部（制御部）
２０、２０ａ、２０ｂ、２０ｃ  照明器具
２２  第２の通信部（通信部）
２３  第２の制御部（制御部）
２５  光源
【図１】
2016143599.tif 000003
【図２】
2016143599.tif 000004
【図３】
2016143599.tif 000005
【図４】
2016143599.tif 000006
【図５】
2016143599.tif 000007
【図６】
2016143599.tif 000008